(57)【特許請求の範囲】
【請求項１】
被掃除面と対向する面に吸込口を開口する吸込室を内部に区画形成するとともに前記吸込室に吸気風路を介して連通する吸気口を開口するケース体と、
このケース体の吸込室内に前記吸込口に臨んで回転自在に設けられ、前記被掃除面から塵埃を掻き出す清掃部材を有し前記吸気口からの吸気流が前記清掃部材に吹き付けられて回転する回転清掃体とを備え、
前記回転清掃体の回転軌跡から最短距離に位置する前記ケース体の内面の位置における接線と前記被掃除面とのなす角の角度は、前記吸気風路の中心軸と前記被掃除面とのなす角の角度より小さい
ことを特徴とする電気掃除機の吸込口体。
【請求項２】
ケース体は、上方を開口する下部ケースおよびこの下部ケースの上面を覆って取り付けられる上部ケースとを備え、
前記上部ケースの下面は、回転清掃体の回転軌跡から最短距離となる位置での接線と被掃除面とのなす角の角度が吸気風路の中心軸と前記被掃除面とのなす角の角度より小さく傾斜して形成された
ことを特徴とする請求項１記載の電気掃除機の吸込口体。
【請求項３】
ケース体は、前面を含む周面に亘って軟質部材にて形成され前記ケース体に係止する係止片を有したバンパを備え、
このバンパは、前記係止片に一連に回転清掃体の軸方向に壁状に吸込室内に設けられこの回転清掃体の回動軌跡に略沿って湾曲する整流案内板を備えた
ことを特徴とする請求項１または２記載の電気掃除機の吸込口体。
【請求項４】
掃除機本体と、
この掃除機本体に接続される請求項１ないし３いずれか一記載の電気掃除機の吸込口体と
を具備したことを特徴とする電気掃除機。
【発明の詳細な説明】
【０００１】
【発明の属する技術分野】
本発明は、吸気口からの吸気流により回転される回転清掃体を備えた電気掃除機およびその吸込口体に関する。
【０００２】
【従来の技術】
従来、この種の電気掃除機の吸込口体として、例えば特開平１１−１９７０６５号公報に記載の構成が知られている。
【０００３】
この特開平１１−１９７０６５号公報に記載の電気掃除機の吸込口体は、下面に吸込口を開口する吸込室を内部に区画形成し上部前面に吸込室に連通して吸気口を開口するケース体を備えている。また、このケース体の吸込室内には、被掃除面から塵埃を掻き出し吸気口からの吸気流が吹き付けられる清掃部材であるブレードを有した回転清掃体を吸気流にて回転可能に配設している。そして、吸気口からの吸気流がブレードに略垂直に吹き付けられた後に、ケース体の吸気口と反対側の後部略中央に位置するとともに連通管に連通する風路室に向けて流れ、回転する回転清掃体にて掻き出された塵埃とともに吸込口から吸い込んだ吸込流と合流して掃除する。
【０００４】
【発明が解決しようとする課題】
しかしながら、上記特開平１１−１９７０６５号公報に記載の電気掃除機の吸込口体では、吸気口がケース体の上部前面に開口するため、吸気口から吸い込まれ回転清掃体に吹き付けられる吸気流は、略水平方向に沿って流れて回転清掃体のブレードの先端部分に吹き付けられた後に後部略中央に集まるように流れる。このため、吸気流が回転清掃体のブレードに吹き付けられてから風路室に流れるまでの吸気流がブレードに作用する時間に限りがあり、回転清掃体の回転トルクの増大が図りにくい問題がある。
【０００５】
本発明は、上記問題点に鑑みなされたもので、簡単な構成で吸気流により回転する回転清掃体の回転トルクが増大する電気掃除機およびその吸込口体を提供することを目的とする。
【０００６】
【課題を解決するための手段】
請求項１記載の電気掃除機の吸込口体は、被掃除面と対向する面に吸込口を開口する吸込室を内部に区画形成するとともに前記吸込室に吸気風路を介して連通する吸気口を開口するケース体と、このケース体の吸込室内に前記吸込口に臨んで回転自在に設けられ、前記被掃除面から塵埃を掻き出す清掃部材を有し前記吸気口からの吸気流が前記清掃部材に吹き付けられて回転する回転清掃体とを備え、前記回転清掃体の回転軌跡から最短距離に位置する前記ケース体の内面の位置における接線と前記被掃除面とのなす角の角度は、前記吸気風路の中心軸と前記被掃除面とのなす角の角度より小さいものである。
【０００７】
そして、ケース体の吸込室内に吸込口に臨んで回転自在に配設した回転清掃体の回転軌跡から最短距離に位置するケース体の内面の位置における接線と被掃除面とのなす角の角度が、回転清掃体の清掃部材に吸気風を吹き付けて回転させる吸気口を吸込室に連通する吸気風路の中心軸と被掃除面とのなす角の角度より小さいため、一旦吸気口から吸気された吸気流は吸気風路を通って回転清掃体の清掃部材に吹き付けられ、さらにケース体の内面で方向が変換されて回転清掃体の清掃部材に吹き付けられる状態となるので、吸気流を長く回転清掃体に吹き付ける状態が得られ、回転清掃体の回転トルクが吸気口の開口状態を設定する簡単な構造で増大する。
【０００８】
請求項２記載の電気掃除機の吸込口体は、請求項１記載の電気掃除機の吸込口体において、ケース体は、上方を開口する下部ケースおよびこの下部ケースの上面を覆って取り付けられる上部ケースとを備え、前記上部ケースの下面は、回転清掃体の回転軌跡から最短距離となる位置での接線と被掃除面とのなす角の角度が吸気風路の中心軸と前記被掃除面とのなす角の角度より小さく傾斜して形成されたものである。
【０００９】
そして、ケース体を構成する下部ケースの上面を覆って取り付けられる上部ケースの下面を、回転清掃体の回転軌跡から最短距離となる位置での接線と被掃除面とのなす角の角度が吸気風路の中心軸と被掃除面とのなす角の角度より小さい角度で傾斜して形成したため、別途部材を用いることなく、上部ケースを用いて容易に吸気流の流れる方向を変換して長い間吸気流を回転清掃体に吹き付ける構成が得られ、容易に回転清掃体の回転トルクが増大する。
【００１０】
請求項３記載の電気掃除機の吸込口体は、請求項１または２記載の電気掃除機の吸込口体において、ケース体は、前面を含む周面に亘って軟質部材にて形成され前記ケース体に係止する係止片を有したバンパを備え、このバンパは、前記係止片に一連に回転清掃体の軸方向に壁状に吸込室内に設けられこの回転清掃体の回動軌跡に略沿って湾曲する整流案内板を備えたものである。
【００１１】
そして、ケース体は、前面を含む周面に亘って軟質部材にて形成したバンパのケース体に係止する係止片に、回転清掃体の軸方向に壁状で回転清掃体の回動軌跡に略沿って湾曲する整流案内板を吸気室内に亘って一連に設けたため、バンパをケース体に取り付ける係止片を利用した簡単な構造で、吸気流をさらに長い間回転清掃体の清掃部材に吹き付けられ、回転トルクが増大する。
【００１２】
請求項４記載の電気掃除機は、掃除機本体と、この掃除機本体に接続される請求項１ないし３いずれか一記載の電気掃除機の吸込口体とを具備したものである。
【００１３】
そして、簡単な構造で回転清掃体の回転トルクが増大する請求項１ないし３いずれか一記載の電気掃除機の吸込口体を備えるため、掃除性が向上する。
【００１４】
【発明の実施の形態】
以下、本発明の実施の一形態を示す電気掃除機の構成を図面を参照して説明する。
【００１５】
図７において、１は掃除機本体で、この掃除機本体１は、上面を開口した下部本体ケース２ａ、および、この下部本体ケース２ａの後部上面を閉塞する上部本体ケース２ｂが、前面を含む周縁にバンパ３を挟持して接合されて前側上面を開口した本体ケース２を有している。そして、掃除機本体１は、本体ケース２の前側上面を開閉自在に閉塞する蓋体４を回動自在に軸支している。
【００１６】
また、本体ケース２は、進行方向の前側下面に図示しない旋回自在の旋回輪が取り付けられ、本体ケース２の後側側面に大径の従動輪５が回転自在に設けられ、掃除機本体１は旋回輪と従動輪５とにて被掃除面である床面６上を走行可能となっている。さらに、本体ケース２の上部には、上下方向に摺動可能なハンドル７が設けられている。また、本体ケース２の底面には、前方に向けて凹状に開口し、本体ケース２の後面を床面６に対向するように立位状態とした際に上方に向けて開口する図示しない引っ掛け凹部が設けられている。
【００１７】
そして、掃除機本体１内には、図示しない電動送風機が収容される電動送風機室が後側に区画形成され、この電動送風機の吸込側に連通しかつ上方が開放して蓋体４にて開閉され集塵フィルタを収容する図示しない集塵室が前側に区画形成されている。さらに、掃除機本体１の前側には、集塵室に臨んで開口しホース８が着脱可能に接続される接続口９が形成されている。
【００１８】
また、ホース８は、可撓なホース本体１１と、このホース本体１１の一端に設けられ掃除機本体１の接続口９に着脱可能に差し込み接続される連結管１２と、ホース本体１１の他端に設けられ延長管１３を介して吸込口本体１４が接続される把持部１５とにて構成されている。そして、把持部１５には、電動送風機の駆動状態を設定操作する各種スイッチ１６，１６を有した操作手段１７が配設されている。
【００１９】
さらに、延長管１３には、本体ケース２の引っ掛け凹部に係脱可能に係合し、ホース８および吸込口本体１４を接続した状態でも延長管１３を本体ケース２に係脱可能に保持するフック部１８が設けられている。
【００２０】
一方、吸込口本体１４は、図１ないし図５に示すように、前後方向である走行方向に対して横長矩形状で、アクリロニトリル−ブタジエン−スチレン（ＡＢＳ）樹脂などの合成樹脂製の上面を開口した下部ケース２１と、この下部ケース２１の上部に上面の開口を覆い同材質の下面を開口する上部ケース２２とが、下部ケース２１および上部ケース２２の前面を含む周面に沿って軟質部材の緩衝体２３を挟持して結合固定されて、後部略中央が後方に向けて突出する凸字状のケース体２４を備えている。
【００２１】
そして、下部ケース２１は上面に略垂直にリブ下部２５ａ  を有し、上部ケース２２は下面に略垂直に下端縁がリブ下部２５ａ  に接合するリブ上部２５ｂ  を有し、ケース体２４はリブ下部２５ａ  およびリブ上部２５ｂ  により横長矩形状の吸込部２６とこの吸込部２６の後部略中央に後方に一対突出するハウジング部２７，２７とにて凸字状に形成されている。また、吸込部２６内には、リブ下部２５ａ  およびリブ上部２５ｂ  により、前側に横長に位置し下部ケース２１の下面に吸込口３０が開口形成された吸込室３１がハウジング部２７，２７に対して区画形成されている。さらに、ケース体２４の吸込室３１の一端下面は下方に向けて開口し、この開口に閉塞板３２が装着具３３にて着脱可能に取り付けられている。また、リブ下部２５ａ  およびリブ上部２５ｂ  の略中央には、それぞれ対向して凹状に形成された切欠保持凹部３５ａ  ，３５ｂ  がそれぞれ設けられている。
【００２２】
さらに、下部ケース２１は、吸込部２６の下面を構成する吸込下部２１ａ  と、この吸込下部２１ａ  の後部に一体的に設けられハウジング部２７，２７の下面を構成する一対のハウジング下部２１ｂ  ，２１ｂ  とにて凸字状に形成されている。そして、吸込下部２１ａ  の前部には、複数例えば２カ所凹状で、前方に向けて深くなる案内傾斜下面３７ａ  を有した吸気下凹部３７が設けられている。
【００２３】
また、上部ケース２２は、吸込部２６の略上面を覆って着脱可能に下部ケース２１に取り付けられる断面円弧状のケース蓋体２２ａ  と、このケース蓋体２２ａ  の後部に一体的に鍔状に設けられ下部ケース２１のハウジング下部２１ｂ  を覆いハウジング部２７を構成するケース覆部２２ｂ  とにて凸字状に形成されている。なお、ケース蓋体２２ａ  の前端縁には、下部ケース２１の前端縁より前方かつ下方に向けて鍔状に突出するひさし部３９が設けられている。
【００２４】
そして、ケース蓋体２２ａ  のひさし部３９の下面には、下方に向けて壁状に突出し下端縁が下部ケース２１の前側縁に当接する支柱リブ部４０が設けられている。また、支柱リブ部４０の下端縁には、下部ケース２１の吸気下凹部３７に対応して凹状で、前側縁から連続し後部に向けて深くなる案内傾斜上面４１ａ  を有した吸気上凹部４１が設けられている。そして、これら吸気下凹部３７および吸気上凹部４１にて、ケース体２４の前側には、前方かつ下方に向けて吸気口４５が開口形成され、この吸気口４５が吸込室３１に連通する後方に従って上方に位置する傾斜した吸気風路４６が設けられている。
【００２５】
そして、下部ケース２１の吸込下部２１ａ  の前部両端側には、従動前輪４８ａ  が回転自在に軸支された従動前輪室４８が形成されている。また、下部ケース２１の一対のハウジング下部２１ｂ  ，２１ｂ  には、それぞれ従動後輪４９ａ  が回転自在に軸支された従動後輪室４９が形成されている。なお、従動後輪４９ａ  は、外周面に布などの柔軟部材やゴムなどの弾性部材である図示しない保護シートが設けられている。そして、ケース体２４は、従動前輪４８ａ  と従動後輪４９ａ  とにて被掃除面である床面６上を走行可能になっている。
【００２６】
さらに、下部ケース２１の下面には、前側縁に沿って下方に向けて壁状に突出するリールリップ５１が着脱可能に設けられているとともに、吸込口３０の後方に左右方向に沿って、すなわち吸込口３０の縁に沿って下方に向けて例えばブラシ毛などの清掃部材５２が壁状に突出し床面６から塵埃を掻き出す清掃体５３が着脱可能に設けられている。そして、これらリールリップ５１および清掃体５３により、掃除の際に吸込口３０の下面が大気圧に対する負圧状態を確保する。
【００２７】
また、ケース体２４には、ハウジング部２７，２７間に位置して下部ケース２１および上部ケース２２に挟持固定され吸込室３１の後部略中央に連通する風路室５４を区画する連結管部５５が設けられている。この連結管部５５は、円筒状で軸方向の一端側が吸込室３１に向けてラッパ状に次第に径大となる吸込管部５６を有した軸支管部５７を有している。また、連結管部５５は、吸込管部５６の外周縁に外方に向けて鍔状に突出し周縁がそれぞれ下部ケース２１および上部ケース２２のリブ下部２５ａ  およびリブ上部２５ｂ  の各切欠保持凹部３５ａ  ，３５ｂ  に係合する取付板部５８を備えている。そして、連結管部５５は、軸支管部５７の一端側の吸込管部５６が吸込室３１に向けてラッパ状に拡開し他端側がケース体２４から後方に向けて略円筒状に突出し、軸支管部５７の軸方向が前後方向かつ水平方向に沿ってケース体２４に配設される。また、軸支管部５７の外周面には、周方向に沿って凹溝状の取付凹溝部５９が設けられている。
【００２８】
さらに、連結管部５５の軸支管部５７には、回転自在に嵌着する回動管としての継手部６１が取り付けられている。また、この継手部６１には、一端を他端が上下方向に回動自在に継手部６１に軸支された連通管としての連通管部６２が取り付けられ、継手部６１および連通管部６２にて接続管６３が構成されている。
【００２９】
そして、連通管部６２は、略円筒状で延長管に一端が接続される筒状部６５と、この筒状部６５の他端に設けられた連通回動部６６とを備えている。また、連通回動部６６の開口縁の上部には、外周面の接線方向に軸方向を有する回転軸６７が一体に設けられている。そして、連通回動部６６は、上部に回転軸６７の中心軸を中心とした円弧状の上部摺接面６８ａ  を有し、下部に回転軸６７の中心軸を中心とした円弧状の下部摺接面６８ｂ  を有し、回転軸６７の軸方向に沿って対向する一対の側面が略扇形状の側部摺接面６８ｃ  ，６８ｃ  を有して側面視で扇柱状に形成されている。
【００３０】
また、連通回動部６６の開口する上縁には、回転軸６７の軸方向に沿い外方に向けて壁状に突出し継手部６１に当接して筒状部６５の他端側が下方に回動することを規制する回動規制上部７０が設けられている。さらに、連通回動部６６の開口する下縁には、回転軸６７の軸方向に沿い外方に向けて壁状に突出する抜止規制部７１が設けられている。また、筒状部６５の外周面の下部には、径方向に沿って壁状に下方に向けて突出し継手部６１の下部に当接して回動を規制する回動規制下部７２が突設されている。さらに、筒状部６５の外周面には、軸方向を前後方向に沿って位置する状態で水平方向に沿った径方向の位置に、軸方向に沿って壁状の図示しない係止爪部が一対突設されている。これら係止爪部は、連通管部６２の筒状部６５の軸方向をケース体２４の長手方向に沿って位置する状態で、ケース体２４のハウジング部２７，２７の先端上面に上方に向けて突設された引っ掛け爪部７４にそれぞれ係合可能となっている。
【００３１】
さらに、連通管部６２には、連通回動部６６に位置して閉塞体としての揺動閉塞体７５が設けられている。この揺動閉塞体７５は、連通回動部６６の下部摺接面６８ｂ  の中心となる回転軸６７の中心軸を中心として湾曲する閉塞底板７６を備えている。そして、この閉塞底板７６の湾曲しない一縁には、湾曲する側に向けて壁状に突出し先端が連通回動部６６の下部摺接面６８ｂ  に摺接し連通回動部６６の抜止規制部７１に当接して連通回動部６６から外れることを規制する抜止係止爪部７７が設けられている。さらに、閉塞底板７６の湾曲する一対の縁には、外面が連通回動部６６の側部摺接面６８ｃ  にそれぞれ摺接する補強リブ部７８が設けられている。また、閉塞底板７６には、補強リブ部７８の抜止係止爪部７７が設けられている側に閉塞底板７６の中心軸に向けて帯状で連通回動部６６の側部摺接面６８ｃ  にそれぞれ摺接する閉塞側板７９がそれぞれ一体に設けられている。さらに、閉塞側板７９の先端には、中心軸が閉塞底板７６の中心軸に同軸上となり回転軸６７を回転自在に嵌合する円筒状の支持部８０が設けられている。
【００３２】
そして、揺動閉塞体７５は、支持部８０が回転軸６７，６７にそれぞれ嵌合し、連通管部６２の軸方向が前後方向に沿った状態で連通回動部６６に重なる状態と、図１に示すように連通管部６２の軸方向が上下方向に沿った状態で連通回動部６６の下部を覆う状態との間で連通回動部６６に対して相対的に回動可能に軸支される。
【００３３】
一方、継手部６１は、連結管部６２を嵌合して回転自在に保持される円筒状の円筒状部８５と、この円筒状部８５の一端縁の半周に下方に向けて開口する略半球状に一連に突設された上継手部８６と、この上継手部８６の下面を覆ってねじ止めなどにより一体的に取り付けられる略半球状の下継手部８７とを備えている。
【００３４】
そして、円筒状部８５の径方向の位置には、連結管部５５の軸支管部５７の取付凹溝部５９に対向して一対の通孔８８が設けられている。そして、この通孔８８には、この通孔８８を介して軸支管部５７の取付凹溝部５９に摺動自在に係合する取付部材８９が係脱可能に取り付けられ、継手部６１の円筒状部８５が連結管部５５に回転自在に取り付けられる。
【００３５】
また、上継手部８６は、下面に連通管部６２の連通回動部６６の回動規制上部７０の先端が摺接する円弧状の上部湾曲摺動面９１を下面に有した湾曲上板部９２と、この湾曲上板部９２の湾曲する一対の縁にそれぞれ連続し下方に向けて球面状に湾曲する球状上カバー部９３とを有し、外面側が略半球状に連続して形成されている。また、上継手部８６の湾曲上板部９２と球状上カバー部９３，９３との間には、下方に向けて壁状に突出し湾曲上板部９２側の面に揺動閉塞体７５の側部摺接面６８ｃ  が摺接する略平行な一対の区画上リブ９４，９４が設けられている。さらに、上継手部８６の湾曲上板部９２には、連通管部６２の筒状部６５が挿入可能に略コ字状に切欠上逃げ部９５が切欠形成されている。そして、この湾曲上板部９２の切欠上逃げ部９５の縁には、下方に向けて壁状に突出し先端が連通回動部６６の上部摺接面６８ａ  に摺接するとともに連通回動部６６の回動規制上部７０が当接して連通管部６２の回動を規制する摺接回動規制部９６が設けられている。
【００３６】
また、下継手部８７は、上継手部８６の湾曲上板部９２に対向し揺動閉塞体７５の閉塞底板７６の外面側が摺接する上方に向けて湾曲した下部摺接面１０１  を有した湾曲下板部１０２  と、この湾曲下板部１０２  の湾曲する一対の縁にそれぞれ連続し上方に向けて球面状に湾曲する球状下カバー部１０３  ，１０３  とを有し、外面側が略半球状に連続して形成されている。そして、下継手部８７の湾曲下板部１０２  と球状下カバー部１０３  との間には、上下方向に壁状に突出し湾曲下板部１０２  側の面に揺動閉塞体７５の側部摺接面６８ｃ  が摺接する略平行な一対の区画下リブ１０４  ，１０４  が設けられている。また、下継手部８７の湾曲下板部１０２  には、連通管部６２の筒状部６５が挿入可能に略コ字状に切欠下逃げ部１０５  が切欠形成されている。さらに、湾曲下板部１０２  には、切欠下逃げ部１０５  と反対側の縁に上方に壁状に突出し上端縁が円筒状部８５の外周面に係合する略半円凹状の連結係合凹部１０６  が切欠形成され、揺動閉塞体７５の閉塞底板７６および連通管部６２の連通回動部６６の下部縁が当接して揺動閉塞体７５および連通管部６２の回動を規制する連結回動規制部１０７  が設けられている。
【００３７】
さらに、下継手部８７の区画下リブ１０４  ，１０４  には、上端縁の中間部に上方に向けて舌片状に突出する軸支リブ１１０  がそれぞれ設けられている。また、上継手部８６の区画上リブ９４，９４には、下端縁の中間部に軸支リブ１１０  が係合する同形状に凹状に切り欠き形成された軸支凹部１１１  がそれぞれ設けられている。そして、軸支リブ１１０  の先端縁およびこの先端縁と接合する軸支凹部１１１  の縁には、それぞれ略半円状に軸支切欠部１１２  ，１１２  が対向して切り欠き形成され、これら軸支切欠部１１２  にて連通管部６２の回転軸６７，６７を回転自在に軸支する略円形の軸受孔１１３  ，１１３  を構成する。なお、軸支リブ１１０  および軸支凹部１１１  は、図６に示すように、軸受孔１１３  ，１１３  の中心軸が円筒状部８５の中心軸に直交する径方向に沿って略水平でかつ円筒状部８５の中心軸より上方に位置する状態に形成されている。
【００３８】
そして、先端縁が接合する一対の区画上リブ９４，９４および区画下リブ１０４  ，１０４  により、湾曲上板部９２および湾曲下板部１０２  間に連通管部６２の連通回動部６６を収容する風路空間部１１５  が区画形成され、図１に示すように連通管部６２の軸方向が上下方向に沿った状態で、揺動閉塞体７５の閉塞底板７６は連通管部６２の先端下部と下継手部８７の湾曲下板部１０２  間に架橋するように位置して閉塞し、風路空間部１１５  が隙間を開口することなく連通管部６２に連通する。なお、揺動閉塞体７５は継手部６１および連通管部６２の連通回動部６６に摺接するとともに、連通回動部６６の上部は継手部６１の上継手部８６に摺接するため、リークする隙間を生じない。そして、接続管６３は、回転軸６７で回動しても、連通管部６２の筒状部６５が延長管１３およびホース８を介して掃除機本体１に着脱自在に接続される状態で、隙間を生じることなく吸込口３０を掃除機本体１の接続口９に連通する。
【００３９】
さらに、ケース体２４内には、吸込室３１の左右方向の両端部のリブ下部２５ａ  およびリブ上部２５ｂ  の接合する位置にそれぞれ設けられた軸受１２０  ，１２０  により回転自在に軸支された回転体としての回転清掃体１２１  が配設されている。この回転清掃体１２１  は、外周面に螺旋状に凹溝状のブレード取付溝１２２  を設けたシャフト１２３  と、このシャフト１２３  の両端部に回転自在に設けられ軸受１２０  に係脱可能に装着される軸支部材１２４  と、シャフト１２３  のブレード取付溝１２２  に一縁が取り付けられシャフト１２３  の外周面に壁状でスパイラル状に設けられ先端側が一側に湾曲した清掃部材としてのブレード１２５  と、一面側である回転清掃体１２１  が回転する方向の面に起毛が設けられた清掃部材としての布ブレード１２６  とを備えている。なお、説明の都合上ブレード１２５  および布ブレード１２６  を直線状に示した。
【００４０】
そして、回転清掃体１２１  は、吸込口３０に臨んで下端が従動前輪４８ａ  および従動後輪４９ａ  にて形成される平面より上方に位置し、平坦な床面６である板の間には接触せず吸込口３０に入り込む凹凸のある床面６である絨毯にはブレード１２５  が接触し、布ブレード１２６  は従動前輪４８ａ  および従動後輪４９ａ  にて形成される平面より下方に位置し、板の間に接触してフローリングするように配設される。
【００４１】
また、回転清掃体１２１  は、吸気風路４６の中心軸Ａが回転軌跡Ｂの略接線位置で、かつ、この吸気風路４６の中心軸Ａと床面６とのなす角の角度θ１が回転清掃体１２１  と上部ケース２２との最短距離となる上部ケース２２の位置での接線Ｃと床面６とのなす角の角度θ２より大きくなるように配設され、吸気口４５から吸気風路４６を通る吸気流が流れる方向を回転軌跡Ｂに沿って変換され、ブレード１２５  の湾曲する側の先端部および布ブレード１２６  の先端部に複数の接線方向で長い間効率よく吹き付けられる。
【００４２】
次に、上記実施の形態の動作について説明する。
【００４３】
掃除する際、掃除機本体１に延長管１３およびホース８を介して吸込口本体１４を接続する。この状態で、ホース８の把持部１５を持って操作手段１７のスイッチ１６の操作により、適宜電動送風機を所望の駆動状態で駆動し、把持部１５を押動して吸込口本体１４を床面６上で前後に走行させる。なお、床面６上を吸込口本体１４が走行する際には、接続管６３すなわち連通管部６２の軸方向は吸込口本体１４の走行方向である前後方向に沿った状態である第１の掃除形態となる。
【００４４】
そして、電動送風機の駆動により、電動送風機の大気圧に対して負圧となる側に連通する吸込室３１内が大気圧に対して負圧となって吸気口４５から吸気され、この吸気され吸気風路４６を流通する吸気流が回転清掃体１２１  のブレード１２５  および布ブレード１２６  に当たって回転清掃体１２１  を回転させる。この吸気流は、後部上方に向けて床面６とのなす角の角度θ１で傾斜する吸気風路４６により、後部上方に向けて流れて回転清掃体１２１  のブレード１２５  および布ブレード１２６  に略垂直に吹き付けられ、さらに上部ケース２２のひさし部３９の下面にて案内され流れる方向が変換されて床面６とのなす角の角度θ２で流れ、回転清掃体１２１  のブレード１２５および布ブレード１２６  に吹き付け続ける状態となる。そして、この床面６とのなす角が異なり回転清掃体１２１  の回転軌跡Ｂの異なる接線方向で長い間吹き付けた吸気流は、回転清掃体１２１  の軸方向に沿うようにケース体２４の中心の風路室５４に向けて集まるように回転清掃体１２１  の回転に長い距離で作用して回転トルクを増大させつつ連結管部５５の吸込管部５６に流れる。
【００４５】
この吸込口本体１４の床面６上での走行により、床面６が絨毯などの場合、回転する回転清掃体１２１  のブレード１２５  の先端部分が床面６に衝突して塵埃を叩き出すとともにブレード１２５  が掻き出しあるいは掃き取りして掻き取り、塵埃を吸込口３０から吸い込む。また、床面６が板の間や畳などの比較的に平坦な場合、回転する回転清掃体１２１  の布ブレード１２６  が床面６を磨きつつ床面６上の塵埃を掃き取り、吸込口３０から吸い込む。さらに、回転清掃体１２１  を回転させるため吸気口４５から吸気流を吸い込む際に、吸気口４５がひさし部３９にて前側上部が覆われた状態で下方の床面６に向けて開口する状態となっていることから、ケース体２４の前側の床面６上の塵埃も吸い込む。
【００４６】
そして、空気とともに吸い込んだ塵埃は、延長管１３およびホース８を介して掃除機本体１の集塵室に流入して捕捉する。
【００４７】
この第１の掃除形態では、継手部６１は連結管部５５に対してほとんど回転せず、吸込口本体１４の前後方向への走行に伴って連通管部６２の延長管１３に接続される端部が上下方向に回動する状態となる。この連通管部６２の回動に伴って、連通管部６２の連通回動部６６が継手部６１の風路空間室１１５  内で回動するとともに、継手部６１と連通管部６２の連通回動部６６との間に挟持されるように位置する揺動閉塞体７５が連通回動部６６に対して相対的に回動する。そして、吸込口本体１４が掃除作業者側に引かれるように後退する状態、すなわち連通管部６２の他端側が上方に回動し連通回動部６６が継手部６１の下継手部８７の湾曲下板部１０２  から外れる状態となる場合には、揺動閉塞体７５の抜止係止爪部７７が連通回動部６６の抜止規制部７１に当接して連通回動部６６の回動に伴って揺動閉塞体７５が回動し、連通回動部６６の下部を覆い、下継手部８７および連通回動部６６間に隙間が生じない。
【００４８】
また、家具の下などの上下方向が狭い場所では、連通管部６２の軸方向がケース体２４の前後方向で水平方向に沿うように回動させる。この状態では、連通管部６２の連通回動部６６の下部開口縁および揺動閉塞体７５の閉塞底板７６の前側縁が下継手部８７の摺接回動規制部９６にそれぞれ当接し、連通回動部６６および下継手部８７の湾曲下板部１０２  間に閉塞底板７６が挟持され、揺動閉塞体７５が連通回動部６６に重なり合う状態となる。
【００４９】
一方、家具の間などの比較的狭い場所、すなわち横長の吸込口本体１４が走行できない幅寸法の床面６を掃除する際には、接続管６３の連通管部６２の軸方向が吸込口本体１４の長手方向で水平方向に沿うように接続管６３の継手部６１および連通管部６２をそれぞれ回動し、吸込口本体１４を長手方向が走行方向となるように掃除形態を第２の掃除形態に可変し、隙間部分に吸込口本体１４を滑り込ませるようにして掃除する。
【００５０】
また、ホース８を床面６上においた場合、あるいは吸込口３０に閉塞した塵埃の除去、回転清掃体１２１  に絡み付いた糸ゴミなどの除去のために、吸込口本体１４の下面が床面６から離間すると、吸込室３１内が大気圧に対する負圧が小さくなって大気圧に近い状態となり、吸気口４５から回転清掃体１２１  に吹き付ける吸気量が低減し、回転清掃体１２１  の回転は停止する。
【００５１】
そして、掃除の中断あるいは中止の場合には、延長管１３に設けたフック部１８を本体ケース２に設けた図示しない引っ掛け凹部に係合し、本体ケース２にホース８および吸込口本体１４を接続した状態で延長管１３を係止保持する。この場合には、図１に示すように、接続管６３の連通管部６２の軸方向が上下方向に沿う状態で保持される。この状態でも、揺動閉塞体７５により連通管部６２の下側部を覆って継手部６１との間に隙間が生じることを防止する。
【００５２】
上述したように、回転清掃体１２１  の回転軌跡Ｂおよびケース体２４の内面である上部ケース２２の下面の最短距離での上部ケース２２の下面の位置における接線Ｃと床面６とのなす角の角度θ２が、回転清掃体１２１  のブレード１２５  に吸気風を吹き付けて回転させる吸気口４５を吸込室３１に連通する吸気風路４６の中心軸Ａと床面６とのなす角の角度θ１より小さいため、一旦吸気口４５から吸気された吸気流は吸気風路４６を通って回転清掃体１２１  のブレード１２５  に吹き付けられ、さらに上部ケース２２の下面で方向が変換されて回転清掃体１２１  のブレード１２５  に吹き付け続ける状態となるので、吸気流を長く回転清掃体１２１  に吹き付ける状態が得られ、回転清掃体１２１  の回転トルクを吸気口４５の開口状態を設定する簡単な構造で増大できる。
【００５３】
また、吸気風路４６を通った吸気流をケース体２４を構成する上部ケース２２の下面にて流れる方向を変換するため、別途吸気流の流れを変換する構成が不要で、上部ケース２２を利用した簡単な構成で長い間吸気流を回転清掃体１２１  に吹き付け続ける構成が得られ、容易に回転清掃体１２１  の回転トルクを増大である。
【００５４】
そして、上部ケース２２の前部にケース体２４の最前部に鍔状に突出するひさし部３９を設け、吸気口４５が下方に向く状態としたため、回転清掃体１２１  を回転させるために吸気流を取り込む吸気口４５からも塵埃を吸塵でき、吸塵効率を向上できるとともに、ケース体２４の前側に位置する塵埃を吸塵できることから、壁際まで吸塵でき、掃除性を向上できる。
【００５５】
さらに、吸気口４５から吸い込まれる吸気流は、下方から上方に向けてひさし部３９に沿ってサイクロン状に流れて流速が早まった状態で回転清掃体１２１  の回転軌跡の外周部分に吹き付けられるため、回転清掃体１２１  を効率よく大きなトルクで回転でき、床面６からの塵埃の掻き出し性が向上して、吸塵効率を向上でき、掃除性を向上できる。
【００５６】
また、ひさし部３９の先端が自由端で、ある程度の弾性を有するＡＢＳにて形成されているため、壁や家具などに当接してもひさし部３９が弾性変形して損傷を防止できる。なお、ひさし部３９の先端部まで緩衝体２３を設けることにより、壁や家具などが傷付くなどの損傷も確実に防止できる。
【００５７】
次に、他の実施の形態を図８を参照して説明する。
【００５８】
この図８に示す実施の形態は、上記図１ないし図７に示す実施の形態において、ひさし部３９を設けた上部ケース２２の代わりに、上部ケースの先端部に緩衝体２３が設けられた構成である。
【００５９】
すなわち、上部ケース２２は、吸込部２６の略上面を覆って着脱可能に下部ケース２１に取り付けられる断面円弧状のケース蓋体２２ａ  と、このケース蓋体２２ａ  の後部に一体的に鍔状に設けられ下部ケース２１のハウジング下部２１ｂ  を覆いハウジング部２７を構成するケース覆部２２ｂ  とにて凸字状に形成されている。
【００６０】
また、緩衝体２３は、例えばゴムなどの弾性部材にて形成され、吸込部２６の吸込室３１の略前側上面を覆い下部ケース２１の前面より前方に突出し上部ケース２２の前側縁に連続する平板状の前部覆い板１３１  と、この前部覆い板１３１  から下方に向けて略く字状に折曲するひさし部３９とを備えている。また、前部覆い板１３１  の後部縁には、上部ケース２２の前側縁に下面側に亘って係合する係止片である係合爪部１３２  が複数設けられている。
【００６１】
そして、ひさし部３９の下面には、一体に設けられ下部ケース２１の前側縁に下端縁が当接する支柱リブ部４０が一体に設けられている。また、ひさし部３９の両側には、下部ケース２１および上部ケース２２に挟持されケース体２４の側面から後部に亘ってケース体２４の周面を覆う帯状の図示しない保護カバー部が一体に設けられている。さらに、各係合爪部１３２  ，１３２  の先端には、上部ケース２２の長手方向に亘って壁状、すなわち回転清掃体１２１  の軸方向に沿って壁状で、回転清掃体１２１  に向けて湾曲する整流案内板１３４  が設けられている。
【００６２】
なお、整流案内板１３４  は、先端縁が風路室５４に向けて先端部分での下面の接線方向が略水平となるように形成されているとともに、回転清掃体１２１  との最短距離の位置での接線方向Ｄと床面６とのなす角の角度θ３は、角度θ２より小さい。
【００６３】
また、支柱リブ部４０の下端縁には、下部ケース２１の吸気下凹部３７に対応して凹状で、ひさし部３９の先端部から連続し後部に向けて深くなる案内傾斜上面４１ａ  を有した吸気上凹部４１が設けられている。そして、これら吸気下凹部３７および吸気上凹部４１にて、ケース体２４の前側には、前方かつ下方に向けて吸気口４５が開口形成され、この吸気口４５が吸込室３１に連通する後方に従って上方に位置する傾斜した吸気風路４６が設けられている。
【００６４】
なお、緩衝体２３および上部ケース２２の一連の下面は、回転清掃体１２１  の回転軌跡Ｂおよびケース体２４の内面である上部ケース２２の下面の最短距離での上部ケース２２の下面の位置における接線Ｃと床面６とのなす角の角度θ２が、回転清掃体１２１  のブレード１２５  および布ブレード１２６  に吸気風を吹き付けて回転させる吸気口４５を吸込室３１に連通する吸気風路４６の中心軸Ａと床面６とのなす角の角度θ１より小さく形成されている。
【００６５】
そして、掃除の際に吸気口４５から吸気された吸気流は、後部上方に向けて床面６とのなす角の角度θ１で傾斜する吸気風路４６により、後部上方に向けて流れて回転清掃体１２１  のブレード１２５  および布ブレード１２６  に略垂直に吹き付けられる。さらに、吸気流は、緩衝体２３の前部覆い部１３１  および上部ケース２２の下面にて案内され流れる方向が変換されて床面６とのなす角の角度θ２で流れ、回転清掃体１２１  のブレード１２５  および布ブレード１２６  に吹き付け続ける状態となる。そしてさらに、吸気流は、緩衝体２３の整流案内板１３４  の下面にて案内され流れる方向が変換されて床面６とのなす角の角度θ３で流れ、回転清掃体１２１  のブレード１２５および布ブレード１２６  に吹き付け続ける状態となる。そして、この床面６とのなす角が異なり回転清掃体１２１  の回転軌跡Ｂの異なる接線方向で長い間吹き付けた吸気流は、回転清掃体１２１  の軸方向に沿うようにケース体２４の中心の風路室５４に向けて集まるように回転清掃体１２１  の回転に長い距離で作用して回転トルクを増大させつつ連結管部５５の吸込管部５６に流れる。
【００６６】
この図８に示す実施の形態によれば、図１ないし図７に示す実施の形態よりさらに長い間吸気流が回転清掃体１２１  に吹き付け続ける状態が得られ、さらに回転清掃体１２１  の回転トルクを向上できる。
【００６７】
また、吸気流の流れる方向を切り換えて長い間吹き付ける状態にする整流案内板１３４  を緩衝体２３をケース体２４の上部ケース２２に取り付ける係止爪部１３２  に一連に設けるため、回転トルクが増大する構成を、ケース体２４に取り付ける係止爪部１３２  を利用した簡単な構造で容易に得られる。
【００６８】
そして、吸気口４５を前部下方に向けて開口するひさし部３９を緩衝体２３に設けたため、例え掃除の際に壁や家具などに衝突しても確実に損傷を防止できる。
【００６９】
なお、上記実施の形態において、キャニスタ型の電気掃除機に限らず、吸込口本体１４が掃除機本体１の下面に直接形成されたアップライト型、掃除機本体１と吸込口本体１４とが一体化された自走式の電気掃除機、ハンディ型などにも適用することができる。
【００７０】
そして、回転清掃体１２１  としては、起毛を壁状に設けた回転ブラシや、布ブレード１２６  およびブレード１２５  が一体のものなどいずれの清掃部材を備えたものでもよい。
【００７１】
また、ひさし部３９を設けて吸気口４５を前部下方に向けて開口するようにしたが、吸気口４５からの吸気流が回転清掃体１２１  の回転軌跡Ｂの複数の接線方向で吹き付けられる状態、すなわち、回転清掃体１２１  の回転軌跡Ｂおよびケース体２４の内面である上部ケース２２の下面の最短距離での上部ケース２２の下面の位置における接線Ｃと床面６とのなす角の角度θ２が、回転清掃体１２１  のブレード１２５  に吸気風を吹き付けて回転させる吸気口４５を吸込室３１に連通する吸気風路４６の中心軸Ａと床面６とのなす角の角度θ１より小さく設定したいずれの構成でもできる。
【００７２】
そして、回転可能な継手部６１に連通管部６２を軸支して説明したが、第２の掃除形態に可変しない構成、例えばケース体２４に直接連通管部６２を軸支する構成などとしてもよい。
【００７３】
【発明の効果】
請求項１記載の電気掃除機の吸込口体によれば、回転清掃体の回転軌跡から最短距離に位置するケース体の内面の位置における接線と被掃除面とのなす角の角度が、吸気風路の中心軸と被掃除面とのなす角の角度より小さくしたため、一旦吸気口から吸気された吸気流は吸気風路を通って回転清掃体の清掃部材に吹き付けられ、さらにケース体の内面で方向が変換されて回転清掃体の清掃部材に吹き付け続ける状態となり、吸気流を回転清掃体に長い間吹き付ける状態が得られ、回転清掃体の回転トルクを吸気口の開口状態を設定する簡単な構造で増大できる。
【００７４】
請求項２記載の電気掃除機の吸込口体によれば、請求項１記載の電気掃除機の吸込口体の効果に加え、ケース体を構成する下部ケースの上面を覆って取り付けられる上部ケースの下面を、回転清掃体の回転軌跡から最短距離となる位置での接線と被掃除面とのなす角の角度が吸気風路の中心軸と被掃除面とのなす角の角度より小さい角度で傾斜して形成したため、別途部材を用いることなく、上部ケースを用いて容易に吸気流の流れる方向を変換して長い間吸気流を回転清掃体に吹き付ける構成が得られ、容易に回転清掃体の回転トルクを増大できる。
【００７５】
請求項３記載の電気掃除機の吸込口体によれば、請求項１または２記載の電気掃除機の吸込口体の効果に加え、ケース体は、前面を含む周面に亘って軟質部材にて形成したバンパのケース体に係止する係止片に、回転清掃体の軸方向に壁状で回転清掃体の回動軌跡に略沿って湾曲する整流案内板を吸気室内に亘って一連に設けたため、バンパをケース体に取り付ける係止片を利用した簡単な構造で、吸気流をさらに長い間回転清掃体の清掃部材に吹き付け続けることができ、回転トルクを増大できる。
【００７６】
請求項４記載の電気掃除機によれば、簡単な構造で回転清掃体の回転トルクを増大できる請求項１ないし３いずれか一記載の電気掃除機の吸込口体を備えるため、掃除性を向上できる。
【図面の簡単な説明】
【図１】本発明の実施の一形態を示す連通管を立てた状態の吸込口本体の側面断面図である。
【図２】同上上部ケースの一部を切り欠いた吸込口本体を示す平面図である。
【図３】同上吸込口本体の正面図である。
【図４】同上吸込口本体の底面図である。
【図５】同上吸込口本体の上部ケースと連通管との関係を示す分解斜視図である。
【図６】同上接続管を示す断面図である。
【図７】同上電気掃除機を示す斜視図である。
【図８】本発明の他の実施の形態を示す連通管を立てた状態の吸込口本体の側面断面図である。
【符号の説明】
１    掃除機本体
６    被掃除面である床面
１４    吸込口本体
２１    下部ケース
２２    上部ケース
２３    バンパである緩衝体
２４    ケース体
３０    吸込口
３１    吸込室
４５    吸気口
４６    吸気風路
１２１    回転清掃体
１２５    清掃部材であるブレード
１２６    清掃部材である布ブレード
１３２    係止片である係止爪部
１３４    整流案内板
【図１】
0003606437.tif 000002
【図２】
0003606437.tif 000003
【図３】
0003606437.tif 000004
【図４】
0003606437.tif 000005
【図５】
0003606437.tif 000006
【図６】
0003606437.tif 000007
【図７】
0003606437.tif 000008
【図８】
0003606437.tif 000009